(57)【要約】【課題】  各種のカードゲームにおいて使用済のカードが不正に持ち出されることを防止するために、使用済のカードを確実に廃棄することが求められる。本発明は、使用済プレイングカードを不正に取り出されることなく、パッケージ単位で手軽に確実に廃棄できる廃棄箱を提供することを目的とする。【解決手段】  使用済プレイングカード１ａの廃棄箱２は、組み立てられた状態で、前後面、左右側面、上下面の６面を備えた直方体形状を有している。６面の少なくとも１箇所に、使用済プレイングカード１ａを挿入することを可能とするスリット９を備え、さらにカード取出しが出来ないサイズの穴が複数個設けられ、内包した使用済プレイングカードが視認できる覗き窓１０を有する構造になっている。廃棄箱２は紙あるいはプラスチック材料で構成され、前記使用済プレイングカード１ａを内包した状態で廃棄可能な構造になっている。【選択図】図１
2017202283.tif 000002
【特許請求の範囲】
【請求項１】
組み立てられた状態で、前後面、左右側面、上下面の６面を備えた直方体形状を有する使用済プレイングカードの廃棄箱であって、
前記廃棄箱の６面の少なくとも１箇所に、前記使用済プレイングカードを挿入することを可能とするスリットと、
前記廃棄箱の前後面または左右側面の少なくとも１面に設けた、内包した使用済プレイングカードの量または中身を確認するための覗き窓と、
前記廃棄箱の上面に設けた、内包した使用済プレイングカードの存在を確認するための覗き穴と、を備え、
前記覗き窓は、カード取出しが出来ないサイズの穴が複数個設けられ、内包した使用済プレイングカードが視認できる構造で、
紙あるいはプラスチック材料で構成され、前記使用済プレイングカードを内包した状態で廃棄可能な構造である、使用済プレイングカードの廃棄箱。
【請求項２】
前記覗き窓は、カード取出しが出来ないサイズの穴が長手方向に複数個並んでいる列が短手方向に互い違いに少なくとも複数列設けられ、内包した各々の使用済プレイングカードがいずれかの穴から常に視認できる構造である、請求項１に記載の使用済プレイングカードの廃棄箱。
【請求項３】
前記使用済プレイングカードを内部に所定枚数挿入した後に、前記スリットを封印するスリットカバー又はシールを備えた、請求項１または２に記載の使用済プレイングカードの廃棄箱。
【請求項４】
前記覗き窓が設けられた面にはさらに、内包されている前記使用済プレイングカードの数量を示すガイド表示が付された、請求項１から３のいずれかに記載の使用済プレイングカードの廃棄箱。
【請求項５】
前記使用済プレイングカードの廃棄箱には、前記使用済プレイングカードのセット毎に異なるＩＤを表す印字もしくはバーコードを設けた、請求項１から４のいずれかに記載の使用済プレイングカードの廃棄箱。
【請求項６】
前記スリットカバーにはさらに、封印後に前記スリットカバーの開閉を制限するシールの貼付位置が明示された、請求項３から５のいずれかに記載の使用済プレイングカードの廃棄箱。
【発明の詳細な説明】
【技術分野】
【０００１】  本発明は、カードゲームにおいて使用済のカードが不正に持ち出されることを防止し、使用済のカードを確実に廃棄するための廃棄箱に関する。
【背景技術】
【０００２】  ポーカー、バカラ、ブリッジ、またはブラックジャック等の各種のプレイングゲームにおいては、ディーラーが、１デッキもしくは複数デッキのプレイングカードをカードシュータ等にセットし、そこから一枚ずつ繰り出して、ゲーム参加者にカードを配る。ゲーム使用後のプレイングカードは不正な用途に使用されることを防ぐために、プラスチックケースに一時保管するなどして紛失、盗難がないように管理して廃棄しなければならない。
【先行技術文献】
【０００３】  なお、使用済プレイングカードを管理して廃棄するための従来のカード廃棄システムが、例えば特許文献１に開示されている。
【特許文献１】：国際公開ＷＯ  ２０１３／１７２０３８号公報
【発明の概要】
【発明が解決しようとする課題】
【０００４】  従来システムは、ゲームテーブル上で使用された後のカードが所定の枚数（例えば８デッキを使用する場合には５２枚×８デッキの４１６枚）分揃っていたかどうかをゲームテーブル上で確認する大がかりなカード廃棄装置を使用するものであるため、装置の維持管理が大変であった。また４１６枚の内、ゲームに使用されずに残ったカードも枚数管理のため一枚ずつ装置に通す必要があり、手間がかかってゲームの効率的な運用を妨げる要因となり、大量にカードを消費するカジノでの使用には向いていなかった。【０００５】  本発明は、上記の問題に鑑みなされたものであって、ゲームに使用される所定の枚数（例えば８デッキを使用する場合には５２枚×８デッキの４１６枚）のプレイングカードが入ったパッケージ単位で管理し、使用済プレイングカードを不正に取り出されることなく、パッケージ単位で手軽に確実に廃棄できる廃棄箱を提供することを目的とする。
【課題を解決するための手段】
【０００６】  上記目的を達成するために、本発明にかかる使用済プレイングカードの廃棄箱は、組み立てられた状態で、前後面、左右側面、上下面の６面を備えた直方体形状を有する使用済プレイングカードの廃棄箱であって、前記廃棄箱の６面の少なくとも１箇所に、前記使用済プレイングカードを挿入することを可能とするスリットと、前記廃棄箱の前後面または左右側面の少なくとも１面に設けた、内包した使用済プレイングカードの量または中身を確認するための覗き窓と、前記廃棄箱の上面に設けた、内包した使用済プレイングカードの存在を確認するための覗き穴とを備え、前記覗き窓は、カード取出しが出来ないサイズの穴が複数個設けられ、内包した使用済プレイングカードが視認できる構造で、紙あるいはプラスチック材料で構成され、前記使用済プレイングカードを内包した状態で廃棄可能な構造である。
【発明の効果】
【０００７】  本発明によれば、使用済プレイングカードを不正に取り出されることなく、パッケージ単位で手軽に確実に廃棄でき、カジノでのゲームの作業性が向上するとともに作業コストの削減と安全につながる。
【図面の簡単な説明】
【０００８】
【図１】  本願発明の実施の形態１の使用済プレイングカードの廃棄箱の斜視図。
【図２】  （ａ）同使用済プレイングカードの廃棄箱のスリットカバーを開けた状態の正面図、（ｂ）同使用済プレイングカードの廃棄箱のスリットカバーを閉めた状態の正面図。
【図３】  同使用済プレイングカードの廃棄箱の側面図。
【図４】  同使用済プレイングカードの廃棄箱の展開図。
【図５】  同使用済プレイングカードの廃棄箱に使用済プレイングカードを廃棄する状態を示す説明図。
【図６】  同使用済プレイングカードの廃棄箱がゲームテーブルに備え付けられている状態を示す説明図。
【図７】  （ａ）本願発明の実施の形態２の使用済プレイングカードの廃棄箱の展開図、（ｂ）本願発明の実施の形態３の使用済プレイングカードの廃棄箱の展開図。
【発明を実施するための形態】
【０００９】  本発明の実施の形態１について図面を参照しながら説明する。図１は実施の形態１の使用済プレイングカードの廃棄箱の斜視図である。使用済プレイングカード１ａの廃棄箱２は、組み立てられた状態で、前面３と後面４、左側面５と右側面６、上面７、下面８の６面を備えた直方体形状を有している。廃棄箱２は６面の少なくとも１箇所に、使用済プレイングカード１ａを挿入することを可能とするスリット９と、廃棄箱２の前面３、後面４、左側面５、右側面６の少なくとも１面に設けた、内包した使用済プレイングカード１ａの量または中身を確認するための覗き窓１０と、廃棄箱２の上面７に設けた、内包した使用済プレイングカード１ａの存在を確認するための覗き穴１１とを備えている。廃棄箱２には覗き窓１０が設けられていて、カード取出しが出来ないサイズの穴が複数個設けられ、内包した使用済プレイングカードが視認できる構造になっていて、紙あるいはプラスチック材料で構成され、前記使用済プレイングカード１ａを内包した状態で廃棄可能な構造になっている。覗き窓１０は、カード取出しが出来ないサイズの穴が長手方向に複数個並んでいる列が短手方向に互い違いに少なくとも複数列設けられ、内包した各々の使用済プレイングカード１ａがいずれかの穴から常に視認できる構造になっていてもよい。また覗き穴１１もカード取出しが出来ないサイズになっている。
【００１０】  同廃棄箱２には使用済プレイングカード１ａを内部に所定枚数挿入した後に、スリット９を封印するスリットカバー１２又はシールを備えていて、図２（ａ）は、同廃棄箱２のスリットカバー１２が開いている状態の正面図であり、図２（ｂ）は、同廃棄箱２のスリットカバー１２が閉じている状態の正面図である。後に詳細を説明するが、スリットカバー１２には廃棄箱２毎に異なるＩＤコード（アイデンティフィケーションコード）を表す印字もしくはバーコード１３が設けられている。
【００１１】  図３は、同廃棄箱２に使用済プレイングカード１ａが内包された状態を示す側面図である。覗き窓１０が設けられた右側面６には、内包されている使用済プレイングカード１ａの数量を示すガイド表示１４が付されている。
【００１２】  図４は、同廃棄箱２の展開図を示している。それぞれの使用済プレイングカード１ａを収納した廃棄箱２に異なるＩＤコード（アイデンティフィケーションコード）を表す印字もしくはバーコード１３が設けられている状態を示している。後に詳細を説明するが、プレイングカード１はシャッフルされてパッケージ毎にそれぞれが異なるユニークなカード配列を有するユニークなものであり、これを特定するためにＩＤコードが印字もしくはバーコードに表現して用いられている。ゲームで使用された使用済プレイングカード１ａは、パッケージ単位で同じ廃棄箱２に挿入され、パッケージにつけたＩＤコードと関連付けられたユニークなＩＤコードが印字もしくはバーコード１３に表現して用いられる。
【００１３】  次に、図５、６を用いて、使用済プレイングカード１ａを廃棄箱２へ挿入して廃棄する方法について説明する。プレイングカード１はカジノ等で使用するシュータ１５にパッケージ単位で管理されている所定枚数（例えば８デッキを使用する場合には５２枚×８デッキの４１６枚）のカードが収納された後、ディーラーによりゲームテーブル１６上でプレーヤ（お客様）に配布され、ゲームに使用される。ゲームに使用された使用済プレイングカード１ａはゲームテーブル１６に設置された廃棄箱２に持ち来たされ、スリット９を通して廃棄箱２内に挿入される。使用済プレイングカード１ａ及びゲームに使用されなかった残プレイングカード１ｂがすべてスリット９を通して廃棄箱２に投入されると、廃棄箱２をゲームテーブル１６から引き上げる。その後スリットカバー１２を閉じて、使用済プレイングカード１ａが出ないようにする。さらにスリットカバー１２を止めるボイドシール等を、シール貼付位置ガイド１７を利用して貼り付けてもよい。その後カジノ内の廃棄設備１８に持っていき、廃棄箱２ごと内包されている使用済プレイングカード１ａを廃棄する。廃棄箱２は紙あるいはプラスチック材料で構成されているので、通常の断裁機で断裁可能であり、可燃ごみとしてそのまま焼却可能である。また廃棄時には廃棄箱２に付されたＩＤコードを読み、関連付けられているパッケージのＩＤと結びつけて、廃棄されたという記録を残すことができる。加えて、パッケージ単位でシールしてＩＤコードで管理されているので、ある廃棄箱２が紛失して廃棄されていないということがあれば、そのことが分かるようになっている。
【００１４】  本発明の実施の形態２については、スリットカバー１２ａが、スリット９と覗き窓１０の両方を覆う構造になっており、図７（ａ）に記載されている。また本発明の実施の形態３については、スリットカバー１２がない構造になっていて、スリット９はシール等で簡易に封印することが可能な構造となっており、図７（ｂ）に記載されている。
【産業上の利用可能性】
【００１５】  本発明にかかるテーブルゲームに使用する使用済プレイングカードの廃棄箱は、使用済プレイングカードを不正に取り出されることなく、パッケージ単位で手軽に確実に廃棄でき、ゲームの作業性が向上するとともに作業コストの削減と安全につながるので、カジノなどのテーブルゲームに有用である。
【符合の説明】
【００１６】  １    プレイングカード
１ａ  使用済プレイングカード
１ｂ  残プレイングカード
２    廃棄箱
２ａ  実施の形態２の廃棄箱
２ｂ  実施の形態３の廃棄箱
３    前面
４    後面
５    左側面
６    右側面
７    上面
８    下面
９    スリット
１０    覗き窓
１１    覗き穴
１２    スリットカバー
１２ａ  実施の形態２のスリットカバー
１３    バーコード
１４    ガイド表示
１５    シュータ
１６    ゲームテーブル
１７    シール貼付位置ガイド
１８    廃棄設備
【図１】
2017202283.tif 000003
【図２】
2017202283.tif 000004
【図３】
2017202283.tif 000005
【図４】
2017202283.tif 000006
【図５】
2017202283.tif 000007
【図６】
2017202283.tif 000008
【図７（ａ）】
2017202283.tif 000009
【図７（ｂ）】
2017202283.tif 000010